(57)【要約】      （修正有）【課題】重力を回転エネルギーに変換して、発電用回転軸を回転させ発電する、重力発電システムを提供する。【解決手段】物体が落下するエネルギーを利用して回転軸を回転させ、落下した物体を浮力と水圧によって上部まで引き上げ、更に落下させる事により連続して回転軸を回転させて発電する。具体的には、櫓を組み、動滑車１Ｄ，２Ｄ，３Ｄを取り付け、ワイヤーを掛その両端に錘１Ａ，２Ａと密閉された容器に挿入した錘３Ａを付ける。錘３ＡはＸ点、錘１Ａ，２ＡはＹ点に有るとき、錘１Ａ，２Ａは錘３Ａとの重量差によって引き上げられてＸに達する、同時に錘３Ａも下降し水槽１Ｂに沈む。落下した錘１Ａ，２Ａは錘３Ａとの重量差で上部まで引き上げられ、錘３Ａは密閉された容器に挿入し、水槽１Ｂに沈め、錘２Ａの落下と同時に、浮力と、水槽２Ｂの水圧で上部に達することの繰り返しで回転軸を回転させて発電する発電システム。【選択図】図１
2014234817.tif 000002
【特許請求の範囲】
【請求項１】
櫓に滑車を設置して、錘（１Ａ，２Ａ）は（Ｙ）点、錘（３Ａ）は（Ｘ）点に設定する（図１），ワイヤーを掛け両端に錘（１Ａ，２Ａ）：（３Ａ）を付けその錘の比率を１：１．５にする、錘（１Ａ，２Ａ）は錘（３Ａ）の重量差によって引き上げられ（Ｘ）点に達する、同時に錘（２Ａ）は切り離し器具（図３、１）によって錘（１Ａ）から切り離され、落下して回転軸を回転させて発電する、発電システム。
【請求項２】
錘（３Ａ）は浮力を得る為、密閉した容器に挿入する、（浮力は体積に比例する）錘（１Ａ，２Ａ）が上昇と同時に下降し、水槽（１Ｂ）に沈み（図１）、錘（１Ａ，２Ａ）が（Ｘ点）に達した時に錘（３Ａ）は水槽（１Ｂ）の水面上で（９）錘（１Ａ，２Ａ）の重さと、釣り合いがとれる様、錘（３Ａ）の重さと、容器の体積を設定する  錘（１Ａ，２Ａ）＝  錘（３Ａ）
【請求項３】
水槽（Ｂ１，Ｂ２）は並べて設置し底部を連結する、水槽の大きさは、錘（１Ａ，２Ａ）の重さで決る、水中に沈めた錘（３Ａ）の容器の体積を算出する。水中に沈んだ錘（３Ａ）の体積分、水は水槽（２Ｂ）に流入し水面  を押し上げる、水槽（２Ｂ）は水槽（１Ｂ）より細く作る、（水圧は高さに比例する）（Ｘ）点の錘（１Ａ，２Ａ）重さと、水槽（１Ｂ）に沈んだ錘（３Ａ）の重さは上記の通り釣り合い取れている。又錘（３Ａ）が水中に沈む事により、水槽（１Ｂ）から流入した水槽（２Ｂ）の水の重さは（１０）、錘（３Ａ）と、重さは釣り合いが取れている。（物体が排除した流体の重さは等しい）この事から、（Ｘ）点の錘（１Ａ，２Ａ）と、水槽（１Ｂ）水面上の錘（３Ａ）重さと、水槽（２Ｂ）に流入した水の重さは等しい、よって前記３点の重さは、釣り合っている。錘（１Ａ，２Ａ）＝  錘（３Ａ）＝  水槽（２Ｂ）の（１０）
【請求項４】
錘（２Ａ）の落下によって、上記３点の釣り合いが崩れ、錘（３Ａ）の浮力と水槽（２Ｂ）の水圧によって錘（３Ａ）は急速に浮上する、同時に錘（１Ａ）も下降し、錘（３Ａ）が（Ｘ）点に達した時、錘（１Ａ）も（Ｙ）点に達する。
【請求項５】
（Ｘ）点より落下して（Ｙ）点にある、錘（２Ａ）は下降してきた錘（１Ａ）によって、接続器具（図３  １）を介して引き上げられ（Ｘ）点に達し、同時に落下するのを繰り返して行う、錘（２Ａ）の落下時、プーリー（Ｃ）は回転軸を回転させるが、上昇時は、ラチェット歯車、ラチェット爪によって空回りする。
【請求項６】
動滑車の理論を応用する（本考案の場合）
（錘（１Ａ）は二分の１の力で錘（３Ａ）を引き上げることを可能にする、引き上げるワイヤーの長さは二倍、）故に滑車（１Ｄ）の上下運動は、錘（１Ａ，２Ａ）の上下運動の二分の１で済む、その為、錘（３Ａ）の上昇を補助し、又水槽（１Ｂ，２Ｂ）の設置を容易にする、本考案の最も重要な部分である。（図１）
【請求項７】
途切れなく回転軸を回転させる為、上記発電装置を１ユニットとし、４ユニット〜を構築して時間差で物体を、落下させ回転軸の回転速度を安定させる、又、フライホイール（５）を取り付け、より安定化させる、落下体を複数落下させることにより回転力が高まり、発電機の出力が増大する重力発電システム。
【発明の詳細な説明】
【技術分野】
【０００１】本考案は重力エネルギーを、回転エネルギーに変換して、発電モーターを回転させて発電する、重力発電システムに関するものである。
【背景技術】
【０００２】従来、重力を利用した発電装置がある、代表的なのが水力発電だが発電装置を作るうえで様々な問題点がある、環境、用地の取得、コスト、メンテナンス、又気候や季節の変動による、河川の水流の変化による水不足、等々リスクがある、その他、原子力発電の安全性、火力発電の燃料と大気汚染等、がある、自然エネルギーを利用した発電装置に、太陽光、風力、蒸気などあるが、まだまだ大規模発電と比べようがない、将来、自然エネルギーを利用した発電装置を増大していかなくてはならない、無限にある重力を利用した発電装置もそのひとつである。
【発明の概要】
【発明が解決しようとする課題】
【０００３】従来の発電方法は、安全性、環境、大気汚染、電力の安定供給に関して問題点がある、これら問題を解決する為に、自然エネルギーを利用した発電装置を、発明、開発して増やしていかなければならない、本考案は、自然エネルギーの重力を利用した発電システムであり、既存の発電装置の問題を解決する一翼を担う。
【問題を解決するための手段】
【０００４】高所から物体を落下させ、その重力エネルギーを、回転エネルギーに変換して回転軸を回転させて発電する、発電システム。
落下した錘（１Ａ，２Ａ）は錘（３Ａ）との重量差で上部まで引き上げられ、錘（３Ａ）は密閉された容器に挿入し、水槽（１Ｂ）に沈め、錘（２Ａ）の落下と同時に、浮力と、水槽（２Ｂ）の水圧で上部に達することの繰り返しで回転軸を回転させて発電する発電システム。
【発明の効果】
【０００５】本考案の発電装置は、無限に有る重力を利用する、狭い土地でも設置可能昼夜発電する、小規模から、中規模まで発電装置ができる、費用対効果が見込める、実用化ができる。
【図面の簡単な説明】
【０００６】
【図１】展開図
【図２】立面図
【図３】本考案の実施例の切欠いた正面図
【発明を実施するための形態】
【０００７】
【実施例】
【０００８】櫓を組み、動滑車（１Ｄ，２Ｄ，３Ｄ）を取り付け、ワイヤーを掛その両端に錘（１Ａ，２Ａ）：密閉された容器に挿入した錘（３Ａ）を付け、その重量比を１：１．５にする。【０００９】錘（３Ａ）は（Ｘ）点、錘（１Ａ，２Ａ）（Ｙ）点に有るとき（図１）錘（１Ａ，２Ａ）は錘（３Ａ）との重量差によって引き上げられて（Ｘ）に達する、同時に錘（３Ａ）も下降し水槽（１Ｂ）に沈む。【００１０】水槽（１Ｂ，２Ｂ）の水面を（Ｚ）点に設置して底部を連結する、水槽（２Ｂ）は水槽（１Ｂ）より細くする（水圧は高さに比例する）【００１１】錘（３Ａ）は下降して水槽（１Ｂ）に沈み水面上に達した時、（Ｘ）点に有る
錘（１Ａ，２Ａ）と釣り合いが取れるよう錘（３Ａ）の容器の体積と錘を調整する
錘（１Ａ，２Ａ）＝錘（３Ａ）となるようにする。
錘（３Ａ）が水槽（１Ｂ）に沈んだ時、その水は水槽（２Ｂ）に流入し水面を押し上げる（図１・１０）アルキメデスの法則（物体が排除した流体の重さは等しい）
故に  錘（３Ａ）と水槽（２Ｂ）の増えた水（１０）と釣り合いがとれる、
よって、錘（３Ａ）＝水槽（２Ｂ）の増えた水、となる
故に錘（１Ａ，２Ａ）＝錘（３Ａ）＝水槽（２Ｂ）の増えた水、の３点は釣り合いがとれている。【００１２】錘（２Ａ）は（Ｘ）点に達したと同時に錘（１Ａ）から切り離され落下して回転軸を回転させる、錘（２Ａ）の落下によって、上記３点のバランスが崩れ錘（３Ａ）は浮力と、水槽（２Ｂ）の水圧によって、急速に浮上して（Ｘ）達すると、同時に錘（１Ａ）も下降し（Ｙ）の錘（２Ａ）の上部に着する
（Ｙ）点に有る錘（２Ａ）は接続器具（図３・１）を介して、錘１Ａ）によって引き上げられ（Ｘ）に達し、又落下するの、繰り返して行う重力発電装置。【００１３】動滑車の理論を応用する（本考案の場合）
（錘を引き上げる力は二分の１、引き上げる線の長さは２倍）いわゆる
滑車（１Ｄ）の上下運動は、錘（１Ａ，２Ａ）の上下運動の二分の１済み、錘（３Ａ）を引き上げる一助にもなり、水槽（１Ｂ，２Ｂ）の設置が容易になり本考案の最も重要な部分である。（図１）【００１４】途切れることなく回転軸を回転させ、発電機に伝達させる為、
上記発電装置を、１ユニット、とし４ユニット〜を設置して、時間差で物体を落下させる、複数落下させることにより回転力が増し、発電機の出力があがる。又フライホイールを取り付け、回転を安定化させる（図２）
錘（２Ａ）の落下によりプーリーは回転軸を回転させるが上昇時はラチェット歯車とラチェット爪、によりプーリーは空回りする。
【符号の説明】
【００１５】１  切り離し、接続器具
２  ラチェット爪
３  発電機
４  増速歯車
５  フライホイール
６  回転軸
７  Ｖベルト
８  ワイヤー
９  水槽の水面
１０  水槽１Ｂから流入した、増えた水
１Ａ，２Ａ，３Ａ    錘
１Ｂ、２Ｂ    水槽
１Ｄ，２Ｄ，３Ｄ    滑車
４Ｄ  プーリー
１Ｃ  プーリー
Ｅ    ラチェット歯車
【図１】
2014234817.tif 000003
【図２】
2014234817.tif 000004
【図３】
2014234817.tif 000005